(57)【要約】【課題】経路ごとに料金が異なる料金体系を有する交通システムにも対応できる電子マネー管理機能付き携帯情報機器および残額不足警告方法を提供する。【解決手段】駅特定部４４は、データ通信部２が乗車駅ＩＤを受け付けた後、位置検出部４３が現在位置を検出するたびに、その現在位置に対応する駅ＩＤが駅情報記憶部４１に記憶されている場合、その駅ＩＤを、駅ＩＤ記憶部４２に、順次、記憶していく。運賃算出部６は、乗車駅ＩＤで識別される駅を乗車駅とし、最後に記憶された駅ＩＤで識別される駅を下車駅とし、他の駅ＩＤで識別される駅を経由駅として、運賃を計算し、通知部８は、その運賃が電子マネーの残額を超える場合に、警告を発する。【選択図】図１
2007241838.tif 000002
【特許請求の範囲】
【請求項１】
電子マネーを記憶する電子マネー記憶部と、
乗車駅で該乗車駅を識別するための乗車駅ＩＤを受け付ける受付部と、
前記受付部が受け付けた乗車駅ＩＤを記憶する乗車駅ＩＤ記憶部と、
駅ごとに、駅識別用の駅ＩＤと該駅の位置とを対応づけて記憶している駅情報記憶部と、
前記駅ＩＤを記憶するための駅ＩＤ記憶部と、
現在位置を周期的に検出する位置検出部と、
前記受付部が前記乗車駅ＩＤを受け付けた後、前記位置検出部が現在位置を検出するたびに、該現在位置を駅の位置とし、該駅の位置に対応する駅ＩＤが前記駅情報記憶部に記憶されている場合、該駅ＩＤを、前記駅ＩＤ記憶部に、順次、記憶していく駅特定部と、
乗車駅、経由駅および下車駅に基づく運賃を表す運賃表を記憶している運賃記憶部と、
前記乗車駅ＩＤ記憶部に記憶された乗車駅ＩＤで識別される駅を乗車駅とし、前記駅ＩＤ記憶部に最後に記憶された駅ＩＤで識別される駅を下車駅とし、該駅ＩＤ記憶部に記憶された他の駅ＩＤで識別される駅を経由駅として、前記運賃記憶部に記憶されている運賃表を参照して、運賃を計算する運賃算出部と、
前記運賃算出部が計算した運賃が、前記電子マネー記憶部が記憶している電子マネーの残額を超えるか否かを判断する判断部と、
前記判断部が前記運賃は前記電子マネーの残額を超えると判断した場合に、警告を発する通知部と、を含む電子マネー管理機能付き携帯情報機器。
【請求項２】
請求項１に記載の電子マネー管理機能付き携帯情報機器において、
前記運賃算出部は、前記駅ＩＤが前記駅ＩＤ記憶部に記憶されるたびに、前記運賃を計算する、電子マネー管理機能付き携帯情報機器。
【請求項３】
請求項１に記載の電子マネー管理機能付き携帯情報機器において、
前記受付部は、さらに、前記乗車駅ＩＤを受け付けてから前記電子マネーでの運賃の支払いが実行される前に、下車駅で下車情報を受け付け、
前記運賃算出部は、前記受付部が前記下車情報を受け付けた場合のみ、前記運賃を計算する、電子マネー管理機能付き携帯情報機器。
【請求項４】
電子マネーを記憶する電子マネー記憶部と、
乗車駅で該乗車駅を識別するための乗車駅ＩＤを受け付ける受付部と、
前記受付部が受け付けた乗車駅ＩＤを記憶する乗車駅ＩＤ記憶部と、
駅ごとに、駅識別用の駅ＩＤと該駅の位置とを対応づけて記憶している駅情報記憶部と、
前記駅ＩＤを記憶するための駅ＩＤ記憶部と、
現在位置を周期的に検出する位置検出部と、
前記受付部が前記乗車駅ＩＤを受け付けた後、前記位置検出部が現在位置を検出するたびに、該現在位置を駅の位置とし、該駅の位置に対応する駅ＩＤが前記駅情報記憶部に記憶されている場合、該駅ＩＤを、前記駅ＩＤ記憶部に、順次、記憶順を付加して記憶していく駅特定部と、
前記乗車駅ＩＤ記憶部に記憶された乗車駅ＩＤと、前記駅ＩＤ記憶部に記憶された複数の駅ＩＤとを、外部のホストコンピュータに送信し、その後、該乗車駅ＩＤで識別される駅を乗車駅とし、該駅ＩＤ記憶部に最後に記憶された駅ＩＤで識別される駅を下車駅とし、該駅ＩＤ記憶部に記憶された他の駅ＩＤで識別される駅を経由駅として算出された運賃を、該外部のホストコンピュータから受け付ける通信部と、
前記通信部が受け付けた運賃が、前記電子マネー記憶部が記憶している電子マネーの残額を超えるか否かを判断する判断部と、
前記判断部が前記運賃は前記電子マネーの残額を超えると判断した場合に、警告を発する通知部と、を含む電子マネー管理機能付き携帯情報機器。
【請求項５】
請求項４に記載の電子マネー管理機能付き携帯情報機器において、
前記通信部は、前記駅ＩＤ記憶部に前記駅ＩＤが記憶されるたびに、前記乗車駅ＩＤと前記複数の駅ＩＤとを、前記外部のホストコンピュータに送信し、その後、前記運賃を、該外部のホストコンピュータから受け付ける、電子マネー管理機能付き携帯情報機器。
【請求項６】
請求項４に記載の電子マネー管理機能付き携帯情報機器において、
前記受付部は、さらに、前記乗車駅ＩＤを受け付けてから前記電子マネーでの運賃の支払いが実行される前に、下車駅で下車情報を受け付け、
前記通信部は、前記受付部が前記下車情報を受け付けた場合のみ、前記乗車駅ＩＤと前記複数の駅ＩＤとを、前記外部のホストコンピュータに送信し、その後、前記運賃を、該外部のホストコンピュータから受け付ける、電子マネー管理機能付き携帯情報機器。
【請求項７】
電子マネーを記憶する電子マネー記憶部と、乗車駅を識別するための乗車駅ＩＤを記憶するための乗車駅ＩＤ記憶部と、駅ごとに駅識別用の駅ＩＤと該駅の位置とを対応づけて記憶している駅情報記憶部と、前記駅ＩＤを記憶するための駅ＩＤ記憶部と、乗車駅、経由駅および下車駅に基づく運賃を表す運賃表を記憶している運賃記憶部と、を含む電子マネー管理機能付き携帯情報機器が行う残額不足警告方法であって、
乗車駅で前記乗車駅ＩＤを受け付ける受付ステップと、
前記乗車駅ＩＤを前記乗車駅ＩＤ記憶部に記憶する乗車駅ＩＤ記憶ステップと、
現在位置を周期的に検出する位置検出ステップと、
前記乗車駅ＩＤが受け付けられた後、前記現在位置が検出されるたびに、該現在位置を駅の位置とし、該駅の位置に対応する駅ＩＤが前記駅情報記憶部に記憶されている場合、該駅ＩＤを、前記駅ＩＤ記憶部に、順次、記憶していく駅特定ステップと、
前記乗車駅ＩＤ記憶部に記憶された乗車駅ＩＤで識別される駅を乗車駅とし、前記駅ＩＤ記憶部に最後に記憶された駅ＩＤで識別される駅を下車駅とし、該駅ＩＤ記憶部に記憶された他の駅ＩＤで識別される駅を経由駅として、前記運賃記憶部に記憶されている運賃表を参照して、運賃を計算する運賃算出ステップと、
前記計算された運賃が、前記電子マネー記憶部が記憶している電子マネーの残額を超えるか否かを判断する判断ステップと、
前記運賃が前記電子マネーの残額を超える場合に、警告を発する通知ステップと、を含む残額不足警告方法。
【請求項８】
請求項７に記載の残額不足警告方法において、
前記運賃算出ステップは、前記駅ＩＤが前記駅ＩＤ記憶部に記憶されるたびに、前記運賃を計算する、残額不足警告方法。
【請求項９】
請求項７に記載の残額不足警告方法において、
前記乗車駅ＩＤが受け付けてから前記電子マネーでの運賃の支払いが実行される前に、下車駅で下車情報を受け付ける下車情報受付ステップをさらに含む、
前記運賃算出ステップでは、前記下車情報が受け付けられた場合のみ、前記運賃を計算する、残額不足警告方法。
【請求項１０】
電子マネーを記憶する電子マネー記憶部と、乗車駅を識別するための乗車駅ＩＤを記憶するための乗車駅ＩＤ記憶部と、駅ごとに駅識別用の駅ＩＤと該駅の位置とを対応づけて記憶している駅情報記憶部と、前記駅ＩＤを記憶するための駅ＩＤ記憶部と、を含む電子マネー管理機能付き携帯情報機器が行う残額不足警告方法であって、
乗車駅で前記乗車駅ＩＤを受け付ける受付ステップと、
前記乗車駅ＩＤを前記乗車駅ＩＤ記憶部に記憶する乗車駅ＩＤ記憶ステップと、
現在位置を周期的に検出する位置検出ステップと、
前記乗車駅ＩＤが受け付けられた後、前記現在位置が検出されるたびに、該現在位置を駅の位置とし、該駅の位置に対応する駅ＩＤが前記駅情報記憶部に記憶されている場合、該駅ＩＤを、前記駅ＩＤ記憶部に、順次、記憶順を付加して記憶していく駅特定ステップと、
前記乗車駅ＩＤ記憶部に記憶された乗車駅ＩＤと、前記駅ＩＤ記憶部に記憶された複数の駅ＩＤとを、外部のホストコンピュータに送信し、その後、該乗車駅ＩＤで識別される駅を乗車駅とし、該駅ＩＤ記憶部に最後に記憶された駅ＩＤで識別される駅を下車駅とし、該駅ＩＤ記憶部に記憶された他の駅ＩＤで識別される駅を経由駅として算出された運賃を、該外部のホストコンピュータから受け付ける通信ステップと、
前記受け付けられた運賃が、前記電子マネー記憶部が記憶している電子マネーの残額を超えるか否かを判断する判断ステップと、
前記運賃が前記電子マネーの残額を超える場合に、警告を発する通知ステップと、を含む残額不足警告方法。
【請求項１１】
請求項１０に記載の残額不足警告方法において、
前記通信ステップでは、前記駅ＩＤ記憶部に前記駅ＩＤが記憶されるたびに、前記乗車駅ＩＤと前記複数の駅ＩＤとを、前記外部のホストコンピュータに送信し、その後、前記運賃を、該外部のホストコンピュータから受け付ける、残額不足警告方法。
【請求項１２】
請求項１０に記載の残額不足警告方法において、
前記乗車駅ＩＤを受け付けてから前記電子マネーでの運賃の支払いが実行される前に、下車駅で下車情報を受け付ける下車情報受付ステップと、
前記通信ステップでは、前記下車情報が受け付けられ場合のみ、前記乗車駅ＩＤと前記複数の駅ＩＤとを、前記外部のホストコンピュータに送信し、その後、前記運賃を、該外部のホストコンピュータから受け付ける、残額不足警告方法。
【発明の詳細な説明】
【技術分野】
【０００１】
本発明は、電子マネー管理機能付き携帯情報機器および残額不足警告方法に関し、特には、電子マネーの残額不足を警告する電子マネー管理機能付き携帯情報機器および残額不足警告方法に関する。
【背景技術】
【０００２】
電子マネーを記憶できる非接触ＩＣカード（以下、単に「非接触ＩＣカード」と称する。）を使用した料金支払いシステムが、実用化されてきている。
【０００３】
実用化の具体例としては、交通システムの運賃精算システムが挙げられる。このシステムでは、非接触ＩＣカードが改札機にかざされると、運賃の精算が行われる。このため、利用者は、改札機に非接触ＩＣカードをかざすだけで改札を通過できる。よって、利用者は切符などを取り出す必要がなく、手間が削減されて、利便性が向上する。また、自動改札で乗り越しの精算ができることにより、利用者は精算機に並ぶ必要がなくなる。
【０００４】
しかしながら、利用者は、非接触ＩＣカードに記憶されている電子マネーの残額を常に確認できず、改札を通過する際、初めて残額不足であることが分かることがある。残額不足である場合、利用者は、改札を通過できず、改札での通行の妨げとなってしまう。
【０００５】
特許文献１（特開２００４−２８０５２２号公報）には、カードの残額が一定額以下になった場合、利用者にその旨を通知するシステムが記載されている。
【０００６】
図５は、このシステムの動作を説明するためのフローチャートである。
【０００７】
ステップ５０１では、カードの残額がホストコンピュータに通知される。その後、ステップ５０２では、ホストコンピュータは、その残額が一定金額以下であると、ステップ５０３を実行し、一方、その残額が一定金額を超えていると、動作を終了する。ステップ５０３では、ホストコンピュータは、そのカードの利用者に、残額不足を通知する。その後、ステップ５０４では、ホストコンピュータは、残額不足の積み増し処理を行う。
【０００８】
しかしながら、このシステムでは、実際の運賃が予め設定されている一定金額以上の場合、利用者は、残額不足の通知がないにもかかわらず改札を通過できないことがある。
【０００９】
特許文献２（特開２０００−９９７７８号公報）には、自動料金収受システムにおける料金不足警告装置が記載されている。
【００１０】
この装置は、有料道路の入り口で入口情報を受信し、その後、ＧＰＳ等から現在位置情報を取得し、入口情報と、最新の現在位置情報と、に基づいて、有料道路の利用料金を算出する。この装置は、その利用料金がＩＣカードの残高を超える場合、警告を行う。よって、特許文献２に記載の装置は、特許文献１に記載のシステムが有する問題を解決できる。
【特許文献１】特開２００４−２８０５２２号公報
【特許文献２】特開２０００−９９７７８号公報
【発明の開示】
【発明が解決しようとする課題】
【００１１】
鉄道等の交通システムでは、同一の出発地から同一の目的地に行くにしても、複数の経路がある場合、経路ごとに、料金が異なる場合がある。
【００１２】
特許文献２に記載の装置は、入口情報と最新の現在位置情報とに基づいて、有料道路の利用料金を算出するため、同一の出発地から同一の目的地に行く場合に算出される料金は同一となり、経路ごとに料金が異なる料金体系には対応できない。
【００１３】
本発明の目的は、経路ごとに料金が異なる料金体系を有する交通システムにも対応できる電子マネー管理機能付き携帯情報機器および残額不足警告方法を提供することである。
【課題を解決するための手段】
【００１４】
上記目的を達成するために、本発明の電子マネー管理機能付き携帯情報機器は、電子マネーを記憶する電子マネー記憶部と、乗車駅で該乗車駅を識別するための乗車駅ＩＤを受け付ける受付部と、前記受付部が受け付けた乗車駅ＩＤを記憶する乗車駅ＩＤ記憶部と、駅ごとに、駅識別用の駅ＩＤと該駅の位置とを対応づけて記憶している駅情報記憶部と、前記駅ＩＤを記憶するための駅ＩＤ記憶部と、現在位置を周期的に検出する位置検出部と、前記受付部が前記乗車駅ＩＤを受け付けた後、前記位置検出部が現在位置を検出するたびに、該現在位置を駅の位置とし、該駅の位置に対応する駅ＩＤが前記駅情報記憶部に記憶されている場合、該駅ＩＤを、前記駅ＩＤ記憶部に、順次、記憶していく駅特定部と、乗車駅、経由駅および下車駅に基づく運賃を表す運賃表を記憶している運賃記憶部と、前記乗車駅ＩＤ記憶部に記憶された乗車駅ＩＤで識別される駅を乗車駅とし、前記駅ＩＤ記憶部に最後に記憶された駅ＩＤで識別される駅を下車駅とし、該駅ＩＤ記憶部に記憶された他の駅ＩＤで識別される駅を経由駅として、前記運賃記憶部に記憶されている運賃表を参照して、運賃を計算する運賃算出部と、前記運賃算出部が計算した運賃が、前記電子マネー記憶部が記憶している電子マネーの残額を超えるか否かを判断する判断部と、前記判断部が前記運賃は前記電子マネーの残額を超えると判断した場合に、警告を発する通知部と、を含む。
【００１５】
また、本発明の残額不足警告方法は、電子マネーを記憶する電子マネー記憶部と、乗車駅を識別するための乗車駅ＩＤを記憶するための乗車駅ＩＤ記憶部と、駅ごとに駅識別用の駅ＩＤと該駅の位置とを対応づけて記憶している駅情報記憶部と、前記駅ＩＤを記憶するための駅ＩＤ記憶部と、乗車駅、経由駅および下車駅に基づく運賃を表す運賃表を記憶している運賃記憶部と、を含む電子マネー管理機能付き携帯情報機器が行う残額不足警告方法であって、乗車駅で前記乗車駅ＩＤを受け付ける受付ステップと、前記乗車駅ＩＤを前記乗車駅ＩＤ記憶部に記憶する乗車駅ＩＤ記憶ステップと、現在位置を周期的に検出する位置検出ステップと、前記乗車駅ＩＤが受け付けられた後、前記現在位置が検出されるたびに、該現在位置を駅の位置とし、該駅の位置に対応する駅ＩＤが前記駅情報記憶部に記憶されている場合、該駅ＩＤを、前記駅ＩＤ記憶部に、順次、記憶していく駅特定ステップと、前記乗車駅ＩＤ記憶部に記憶された乗車駅ＩＤで識別される駅を乗車駅とし、前記駅ＩＤ記憶部に最後に記憶された駅ＩＤで識別される駅を下車駅とし、該駅ＩＤ記憶部に記憶された他の駅ＩＤで識別される駅を経由駅として、前記運賃記憶部に記憶されている運賃表を参照して、運賃を計算する運賃算出ステップと、前記計算された運賃が、前記電子マネー記憶部が記憶している電子マネーの残額を超えるか否かを判断する判断ステップと、前記運賃が前記電子マネーの残額を超える場合に、警告を発する通知ステップと、を含む。
【００１６】
また、本発明の電子マネー管理機能付き携帯情報機器は、電子マネーを記憶する電子マネー記憶部と、乗車駅で該乗車駅を識別するための乗車駅ＩＤを受け付ける受付部と、前記受付部が受け付けた乗車駅ＩＤを記憶する乗車駅ＩＤ記憶部と、駅ごとに、駅識別用の駅ＩＤと該駅の位置とを対応づけて記憶している駅情報記憶部と、前記駅ＩＤを記憶するための駅ＩＤ記憶部と、現在位置を周期的に検出する位置検出部と、前記受付部が前記乗車駅ＩＤを受け付けた後、前記位置検出部が現在位置を検出するたびに、該現在位置を駅の位置とし、該駅の位置に対応する駅ＩＤが前記駅情報記憶部に記憶されている場合、該駅ＩＤを、前記駅ＩＤ記憶部に、順次、記憶順を付加して記憶していく駅特定部と、前記乗車駅ＩＤ記憶部に記憶された乗車駅ＩＤと、前記駅ＩＤ記憶部に記憶された複数の駅ＩＤとを、外部のホストコンピュータに送信し、その後、該乗車駅ＩＤで識別される駅を乗車駅とし、該駅ＩＤ記憶部に最後に記憶された駅ＩＤで識別される駅を下車駅とし、該駅ＩＤ記憶部に記憶された他の駅ＩＤで識別される駅を経由駅として算出された運賃を、該外部のホストコンピュータから受け付ける通信部と、前記通信部が受け付けた運賃が、前記電子マネー記憶部が記憶している電子マネーの残額を超えるか否かを判断する判断部と、前記判断部が前記運賃は前記電子マネーの残額を超えると判断した場合に、警告を発する通知部と、を含む。
【００１７】
また、本発明の残額不足警告方法は、電子マネーを記憶する電子マネー記憶部と、乗車駅を識別するための乗車駅ＩＤを記憶するための乗車駅ＩＤ記憶部と、駅ごとに駅識別用の駅ＩＤと該駅の位置とを対応づけて記憶している駅情報記憶部と、前記駅ＩＤを記憶するための駅ＩＤ記憶部と、を含む電子マネー管理機能付き携帯情報機器が行う残額不足警告方法であって、乗車駅で前記乗車駅ＩＤを受け付ける受付ステップと、前記乗車駅ＩＤを前記乗車駅ＩＤ記憶部に記憶する乗車駅ＩＤ記憶ステップと、現在位置を周期的に検出する位置検出ステップと、前記乗車駅ＩＤが受け付けられた後、前記現在位置が検出されるたびに、該現在位置を駅の位置とし、該駅の位置に対応する駅ＩＤが前記駅情報記憶部に記憶されている場合、該駅ＩＤを、前記駅ＩＤ記憶部に、順次、記憶順を付加して記憶していく駅特定ステップと、前記乗車駅ＩＤ記憶部に記憶された乗車駅ＩＤと、前記駅ＩＤ記憶部に記憶された複数の駅ＩＤとを、外部のホストコンピュータに送信し、その後、該乗車駅ＩＤで識別される駅を乗車駅とし、該駅ＩＤ記憶部に最後に記憶された駅ＩＤで識別される駅を下車駅とし、該駅ＩＤ記憶部に記憶された他の駅ＩＤで識別される駅を経由駅として算出された運賃を、該外部のホストコンピュータから受け付ける通信ステップと、前記受け付けられた運賃が、前記電子マネー記憶部が記憶している電子マネーの残額を超えるか否かを判断する判断ステップと、前記運賃が前記電子マネーの残額を超える場合に、警告を発する通知ステップと、を含む。
【００１８】
上記発明によれば、運賃は、乗車駅ＩＤで識別される駅を乗車駅とし、最後に記憶された駅ＩＤで識別される駅を下車駅とし、他の駅ＩＤで識別される駅を経由駅として、計算され、その運賃が電子マネーの残額を超える場合に、警告が発せられる。
【００１９】
このため、経路ごとに料金が異なる料金体系を有する交通システムでも、正確な運賃を算出でき、残額不足の警告の信頼性を高めることが可能になる。
【００２０】
なお、前記運賃算出部は、前記駅ＩＤが前記駅ＩＤ記憶部に記憶されるたびに、前記運賃を計算してもよい。
【００２１】
また、前記通信部は、前記駅ＩＤ記憶部に前記駅ＩＤが記憶されるたびに、前記乗車駅ＩＤと前記複数の駅ＩＤとを、前記外部のホストコンピュータに送信し、その後、前記運賃を、該外部のホストコンピュータから受け付けてもよい。
【００２２】
上記発明によれば、残高不足であると、駅を経由するたびに、警告が発せられる。このため、利用者に、残額不足を確実に知らせることが可能になる。
【００２３】
また、前記受付部は、さらに、前記乗車駅ＩＤを受け付けてから前記電子マネーでの運賃の支払いが実行される前に、下車駅で下車情報を受け付け、前記運賃算出部は、前記受付部が前記下車情報を受け付けた場合のみ、前記運賃を計算してもよい。
【００２４】
また、前記受付部は、さらに、前記乗車駅ＩＤを受け付けてから前記電子マネーでの運賃の支払いが実行される前に、下車駅で下車情報を受け付け、前記通信部は、前記受付部が前記下車情報を受け付けた場合のみ、前記乗車駅ＩＤと前記複数の駅ＩＤとを、前記外部のホストコンピュータに送信し、その後、前記運賃を、該外部のホストコンピュータから受け付けてもよい。
【００２５】
上記発明によれば、下車駅でのみ、残額不足の警告が発せられるので、乗車中に、何度も警告が発せられることを防止できる。
【発明の効果】
【００２６】
本発明によれば、経路ごとに料金が異なる料金体系を有する交通システムでも、正確な運賃を算出でき、残額不足の警告の信頼性を高めることが可能になる。
【発明を実施するための最良の形態】
【００２７】
以下、本発明の実施形態を図面を参照して説明する。
【００２８】
図１は、本発明の実施の一形態の携帯情報機器を示したブロック図である。
【００２９】
図１において、携帯情報機器１００は、残額記憶部１と、データ通信部２と、乗車駅情報記憶部３と、位置情報検索部４と、運賃記憶部５と、運賃算出部６と、残額計算部７と、通知部８と、制御部９とを含む。
【００３０】
残額記憶部１は、電子マネー、具体的には電子マネーの残額を記憶する。
【００３１】
データ通信部（受付部）２は、非接触ＩＣカードであり、改札（アンテナ）２００を介してホストコンピュータ３００と通信する。なお、非接触ＩＣカードであるデータ通信部２が、残額記憶部１を有してもよい。データ通信部２は、乗車駅の改札２００を介して、ホストコンピュータ３００から乗車駅を識別するための乗車駅ＩＤを受け付ける。
【００３２】
乗車駅情報記憶部（乗車駅ＩＤ記憶部）３は、データ通信部２が乗車駅でホストコンピュータ３００から受け付けた乗車駅ＩＤを記憶する。
【００３３】
位置情報検索部４は、現在位置を検出し、その現在位置から経由駅および下車駅を特定する。位置情報検索部４は、駅情報記憶部４１と、駅ＩＤ記憶部４２と、位置検出部４３と、駅特定部４４とを含む。
【００３４】
駅情報記憶部４１は、駅ごとに、駅識別用の駅ＩＤと、その駅ＩＤで識別される駅の位置とを対応づけて記憶している。
【００３５】
駅ＩＤ記憶部４２は、駅ＩＤを記憶する。
【００３６】
位置検出部４３は、例えば、ＧＰＳを使用して現在位置を周期的に検出する。
【００３７】
駅特定部４４は、データ通信部２が乗車駅ＩＤを受け付けた後、位置検出部４３が現在位置を検出するたびに、その現在位置を駅の位置とし、その駅の位置に対応する駅ＩＤが駅情報記憶部４１に記憶されている場合、その駅ＩＤを、駅ＩＤ記憶部４２に、順次、記憶していく。
【００３８】
運賃記憶部５は、乗車駅、経由駅および下車駅に基づく運賃を表す運賃表を記憶している。
【００３９】
運賃算出部６は、乗車駅情報記憶部３に記憶された乗車駅ＩＤで識別される駅を乗車駅とし、駅ＩＤ記憶部４２に最後に記憶された駅ＩＤで識別される駅を下車駅とし、駅ＩＤ記憶部４２に記憶された他の駅ＩＤで識別される駅を経由駅として、運賃記憶部５に記憶されている運賃表を参照して、運賃を計算する。
【００４０】
残額計算部（判断部）７は、運賃算出部６が計算した運賃が、残額記憶部１が記憶している電子マネーの残額を超えるか否かを判断する。
【００４１】
通知部８は、残額計算部７が運賃算出部６にて計算された運賃は残額記憶部１が記憶している電子マネーの残額を超えると判断した場合に、例えば警告音で警告を発する。
【００４２】
制御部９は、携帯情報機器１００全体を制御する。
【００４３】
なお、携帯情報機器１００に含まれる各構成は、例えば、メモリ付きのコンピュータが、プログラムを実行することによって実現されてもよい。
【００４４】
次に、動作を説明する。
【００４５】
図２は、携帯情報機器１００が乗車駅の改札２００を通過するときの動作を説明するためのフローチャートである。以下、図２を参照して、携帯情報機器１００が乗車駅の改札２００を通過するときの動作を説明する。
【００４６】
利用者が、携帯情報機器１００を乗車駅の改札２００にかざすと、データ通信部２は、ステップ２０１を実行する。
【００４７】
ステップ２０１では、データ通信部２は、ホストコンピュータ３００から改札２００を介して乗車駅ＩＤを受信する。データ通信部２は、その乗車駅ＩＤを制御部９に出力する。制御部９は、乗車駅ＩＤを受け付けると、ステップ２０２を実行する。
【００４８】
ステップ２０２では、制御部９は、その乗車駅ＩＤを乗車駅情報記憶部３に記憶する。その後、制御部９は、乗車駅ＩＤを乗車駅情報記憶部３に記憶した旨の記憶通知を駅特定部４４に通知する。
図３は、乗車駅ＩＤが乗車駅情報記憶部３に記憶された後の動作を説明するためのフローチャートである。以下、図３を参照して、乗車駅ＩＤが乗車駅情報記憶部３に記憶された後の動作を説明する。
【００４９】
駅特定部４４は、制御部９から記憶通知を受け付けた後、位置検出部４３が位置情報を検出するたびに、ステップ３０１を実行する。
【００５０】
ステップ３０１では、駅特定部４４は、位置検出部４３が検出した現在位置に対応する駅ＩＤが駅情報記憶部４１に記憶されているか否かを判断する。駅特定部４４は、現在位置に対応する駅ＩＤが駅情報記憶部４１に記憶されていると、ステップ３０２を実行し、一方、現在位置に対応する駅ＩＤが駅情報記憶部４１に記憶されていないと、動作を終了する。
【００５１】
ステップ３０２では、駅特定部４４は、現在位置に対応する駅ＩＤを、駅ＩＤ記憶部４２に、順次、記憶していく。駅特定部４４は、駅ＩＤを駅ＩＤ記憶部４２に記憶すると、駅ＩＤ記憶通知を運賃算出部６に出力する。運賃算出部６は、駅ＩＤ記憶通知を受け付けると、ステップ３０３を実行する。
【００５２】
ステップ３０３では、運賃算出部６は、乗車駅情報記憶部３に記憶された乗車駅ＩＤで識別される駅を乗車駅とし、駅ＩＤ記憶部４２に最後に記憶された駅ＩＤで識別される駅を下車駅とし、駅ＩＤ記憶部４２に記憶された他の駅ＩＤで識別される駅を経由駅として、運賃記憶部５に記憶されている運賃表を参照して、運賃を計算する。なお、駅ＩＤ記憶部４２に１つの駅ＩＤしか記憶されていない場合、運賃算出部６は、その駅ＩＤを下車駅として、運賃を計算する。
【００５３】
運賃算出部６は、その運賃を残額計算部７に出力する。残額計算部７は、運賃を受け付けると、ステップ３０４を実行する。
【００５４】
ステップ３０４では、残額計算部７は、残額記憶部１が記憶している電子マネーの残額からその運賃を差し引いた残額を算出する。続いて、残額計算部７は、ステップ３０５を実行する。
【００５５】
ステップ３０５では、残額計算部７は、ステップ３０４で算出された残額が負の値になっているか、すなわち、残額が不足しているか判断する。残額計算部７は、残額が不足していると、不足通知を制御部９に出力し、一方、残額が不足していないと、動作を終了する。制御部９は、不足通知を受け付けると、ステップ３０６を実行する。
【００５６】
ステップ３０６では、制御部９は、残額不足を通知する旨の警告音を通知部８から出力する。
【００５７】
本実施形態によれば、運賃算出部６は、乗車駅ＩＤで識別される駅を乗車駅とし、最後に記憶された駅ＩＤで識別される駅を下車駅とし、記憶された他の駅ＩＤで識別される駅を経由駅として、運賃を計算し、通知部８は、その運賃が電子マネーの残額を超える場合に、警告を発する。
【００５８】
このため、経路ごとに料金が異なる料金体系を有する交通システムでも、正確な運賃を算出でき、残額不足の警告の信頼性を高めることが可能になる。
【００５９】
また、本実施形態では、運賃算出部６は、駅ＩＤが駅ＩＤ記憶部４２に記憶されるたびに、運賃を計算する。この場合、残高不足であると、駅を経由するたびに、警告が発せられる。このため、利用者に、残額不足を確実に知らせることが可能になる。
【００６０】
なお、本実施形態は、以下のように変形されてもよい。
【００６１】
データ通信部２は、さらに、乗車駅ＩＤを受け付けてから電子マネーでの運賃の支払いが実行される前に、下車駅で下車情報を受け付け、運賃算出部６は、データ通信部２が下車情報を受け付けた場合のみ、運賃を計算し、通知部８は、その運賃が電子マネーの残額を超える場合に、警告を発する。
【００６２】
ここで、下車情報の一例を説明する。
【００６３】
運賃の支払いは、データ通信部２と改札との双方向での通信が必要であり、データ通信部２からの出力信号が微弱のため、近接させなければならない。しかし、改札に近づいたかどうかの判断は、データ通信部２が改札２００から信号（運賃支払い用の信号）を受信できたかどうかで判断できるため、支払いのときほど接近させる必要がない。
【００６４】
したがって、改札２００から出力される信号（運賃支払い用の信号）を下車情報として用いることが可能となる。
【００６５】
なお、改札付近であることを通知する信号を発信するための装置が設けられて、携帯情報機器１００が、この信号を、下車情報として受信してもよい。
【００６６】
この場合、下車駅でのみ、残額不足の警告が発せられるので、乗車中に、何度も警告が発せられることを防止できる。
【００６７】
また、運賃の算出は、携帯情報機器１００で行われず、外部のサーバにて算出され、その算出結果を、携帯情報機器１００が受け取るようにしてもよい。
【００６８】
図４は、外部のサーバ（ホストコンピュータ）が運賃の算出を行う実施形態を示したブロック図である。なお、図４において、図１に示したものと同一のものには同一符号を付してある。
【００６９】
図４において、携帯情報機器１００ａは、図１に示した携帯情報機器１００ａから運賃記憶部５および運賃算出部６が省略され、通信部１０が追加され、駅特定部４４が、駅特定部４４ａに変更されている。
【００７０】
駅特定部４４ａは、データ通信部２が乗車駅ＩＤを受け付けた後、位置検出部４３が現在位置を検出するたびに、その現在位置に対応する駅ＩＤが駅情報記憶部４１に記憶されている場合、その駅ＩＤを、駅ＩＤ記憶部４２に、順次、記憶順を付加して記憶していく。
【００７１】
通信部１０は、乗車駅情報記憶部３に記憶された乗車駅ＩＤと、駅ＩＤ記憶部４２に記憶された複数の駅ＩＤとを、外部のホストコンピュータ３００に送信し、その後、その乗車駅ＩＤで識別される駅を乗車駅とし、駅ＩＤ憶部４２に最後に記憶された駅ＩＤで識別される駅を下車駅とし、駅ＩＤ記憶部４２に記憶された他の駅ＩＤで識別される駅を経由駅として算出された運賃を、外部のホストコンピュータ３００から受け付ける。
【００７２】
例えば、通信部１０は、駅ＩＤ記憶部４２に駅ＩＤが記憶されるたびに、乗車駅情報記憶部３に記憶された乗車駅ＩＤと、駅ＩＤ憶部４２に記憶された複数の駅ＩＤとを、外部のホストコンピュータ３００に送信し、その後、外部のホストコンピュータ３００から運賃を受け付ける。
【００７３】
残額計算部７は、通信部１０が受け付けた運賃が、残額記憶部１が記憶している電子マネーの残額を超えるか否かを判断し、通知部８は、残額計算部７がその運賃は電子マネーの残額を超えると判断した場合に、警告を発する。
【００７４】
この場合も、経路ごとに料金が異なる料金体系を有する交通システムでも、正確な運賃を算出でき、残額不足の警告の信頼性を高めることが可能になる。また、携帯情報機器１００ａが運賃を算出しないため、携帯情報機器１００ａの処理を少なくできる。
【００７５】
また、この場合も、残高不足であると、駅を経由するたびに、警告が発せられる。このため、利用者に、残額不足を確実に知らせることが可能になる。
【００７６】
なお、通信部１０は、データ通信部２が、乗車駅ＩＤを受け付けてから電子マネーでの運賃の支払いが実行される前に下車情報を受け付けた場合のみ、乗車駅ＩＤと複数の駅ＩＤとを、外部のホストコンピュータ３００に送信し、その後、計算された運賃を、外部のホストコンピュータ３００から受け付けてもよい。
【００７７】
この場合、下車駅でのみ、残額不足の警告が発せられるので、乗車中に、何度も警告が発せられることを防止できる。
【００７８】
なお、携帯情報機器１００ａに含まれる各構成は、例えば、メモリ付きのコンピュータが、プログラムを実行することによって実現されてもよい。
【００７９】
以上説明した各実施形態において、図示した構成は単なる一例であって、本発明はその構成に限定されるものではない。
【００８０】
例えば、位置検出部４３は、ＧＰＳを用いたものに限らず適宜変更可能である。
【００８１】
また、通知部８の通知方法は、利用者に残額不足であることが通知できる方法であればと特に方法を指定するものではない。
【図面の簡単な説明】
【００８２】
【図１】本発明の実施の一形態の携帯情報機器を示すブロック図である。
【図２】携帯情報機器１００の動作を説明するためのフローチャートである。
【図３】携帯情報機器１００の動作を説明するためのフローチャートである。
【図４】本発明の他の実施の形態の携帯情報機器を示すブロック図である。
【図５】従来技術の動作を示すフローチャートである。
【符号の説明】
【００８３】
１      残額記憶部
２      データ通信部
３      乗車駅情報記憶部
４      位置情報検索部
４１    位置情報記憶部
４２    駅ＩＤ記憶部
４３    位置検出部
４４    駅特定部
４４ａ  駅特定部
５      運賃記憶部
６      運賃算出部
７      残額計算部
８      通知部
９      制御部
１０      通信部
１００      携帯情報機器
１００ａ    携帯情報機器
２００      改札（アンテナ）
３００      ホストコンピュータ
【図１】
2007241838.tif 000003
【図２】
2007241838.tif 000004
【図３】
2007241838.tif 000005
【図４】
2007241838.tif 000006
【図５】
2007241838.tif 000007